(57)【特許請求の範囲】
【請求項１】
画像が記録された写真感光材料を前記画像が第１の読取位置及び第２の読取位置を順次通過するように搬送する搬送手段と、
前記第１の読取位置で前記画像に光を照射する第１の光源を備えると共に前記画像を透過した光又は前記画像から反射された光に基づいて、測光条件を固定して前記画像を読み取って画像データとして出力する第１の画像センサを備えた第１の測光系と、
前記第２の読取位置で前記画像に光を照射する第２の光源を備えると共に前記画像を透過した光又は前記画像から反射された光に基づいて前記画像を読み取って画像データとして出力する電荷蓄積型の第２の画像センサを備えた第２の測光系と、
前記第１の画像センサから出力された画像データに基づいて前記第２の光源から照射される光の光量及び前記第２の画像センサの電荷蓄積時間の少なくとも一方を変化させて前記画像を読み取るように前記第２の測光系を制御する制御手段と、
を備えた画像読取装置であって、
前記制御手段は、前記第１の測光系から出力された画像データに基づいて、前記写真感光材料にＤＸコードが付されている場合の該ＤＸコードの検出、及び前記写真感光材料にコマ番号が付されている場合の該コマ番号の検出、の少なくとも一方を行い、前記第２の測光系から出力された画像データに基づいて、前記第２の測光系から出力された画像データに対する画像処理の処理条件の決定及び前記第２の測光系から出力された画像データを用いた画像検定の少なくとも一方を行うことを特徴とする画像読取装置。
【請求項２】
前記制御手段によって行われる前記第２の測光系から出力された画像データに対する画像処理の処理条件の決定及び前記第２の測光系から出力された画像データを用いた画像検定の少なくとも一方が終了するまで前記第２の測光系から出力された画像データを記憶する記憶手段を更に備えたことを特徴とする請求項１記載の画像読取装置。
【請求項３】
前記第１の画像センサがエリアセンサであり、前記第２の画像センサがラインセンサであることを特徴とする請求項１又は請求項２記載の画像読取装置。
【発明の詳細な説明】
【０００１】
【発明の属する技術分野】
本発明は、画像読取装置に係り、特に、写真フィルム等の写真感光材料に記録された画像を読み取る画像読取装置に関する。
【０００２】
【従来の技術】
写真フィルム等の写真感光材料（以下、単に写真フィルムという）に記録された画像を処理する従来のラボシステムでは、まず、比較的高速でかつ低精細に画像を読み取る予備読み取り（以下、プレスキャンという）を行い、プレスキャンにより得られた画像データに基づいて、比較的低速でかつ高精細に画像を読み取る本読み取り（以下、ファインスキャンという）を行う際の測光条件及びファインスキャンによって得られる画像データに対する画像処理の処理条件を決定し、決定された測光条件でファインスキャンを行うと共に、該ファインスキャンによって得られた画像データに対して上記決定された処理条件で画像処理を行うものがあった。
【０００３】
この種のラボシステムで写真フィルムに記録されている画像を読み取るために用いられる画像読取装置には、画像読取処理の高速化を目的として、画像を読み取るためのＣＣＤセンサを備えた測光系を２系統備え、プレスキャンとファインスキャンとを各々異なる測光系で行うことによって、プレスキャンとファインスキャンとを並行して実行するものがあった。
【０００４】
【発明が解決しようとする課題】
しかしながら、上記の測光系を２系統備えた画像読取装置では、プレスキャン及びファインスキャンの双方において、読取対象とする画像の種類等に応じてＣＣＤセンサの電荷蓄積時間及び読取対象とする画像に照射する光の光量を変化させているため、画像読取装置全体の構成が複雑であり、装置全体としてのコストが高くなる、という問題点があった。このことをより詳細に説明すると次のようになる。
【０００５】
図１１は、ＣＣＤセンサによってネガ画像を測光した場合のネガ画像濃度（入力濃度値）と測光値（出力濃度値）との関係の一例を示すグラフである。
【０００６】
同図に示すように、ネガ画像濃度と測光値との関係は、傾きが４５°の直線となるのが理想的であるが、実際には入力濃度値に対するオフセットＣが存在するため、高濃度域における直線性が保てない状態となっている。このＣＣＤセンサによって得られた測光値を用いて高精度に各種処理を行う場合には、上記高濃度域を除いた直線性の高い領域のみしか用いることができず、ダイナミックレンジが狭い状態となる。なお、この直線性を以下ではリニアリティという。
【０００７】
高濃度域のリニアリティを高めるためには、ネガ画像に照射する光の光量を増加させる方法とＣＣＤセンサの電荷蓄積時間を変化させる方法との２つの方法が考えられるが、上記の測光系を２系統備えた画像読取装置では、各測光系毎に光の光量とＣＣＤセンサの電荷蓄積時間とを調整可能に構成しているため、各測光系の構成が複雑となり、装置全体としてのコストが高くなるのである。
【０００８】
本発明は上記問題点を解消するために成されたものであり、高速な画像読取処理を行うことができる低コストな画像読取装置を提供することを目的とする。
【０００９】
【課題を解決するための手段】
上記目的を達成するために、請求項１記載の画像読取装置は、画像が記録された写真感光材料を前記画像が第１の読取位置及び第２の読取位置を順次通過するように搬送する搬送手段と、前記第１の読取位置で前記画像に光を照射する第１の光源を備えると共に前記画像を透過した光又は前記画像から反射された光に基づいて、測光条件を固定して前記画像を読み取って画像データとして出力する第１の画像センサを備えた第１の測光系と、前記第２の読取位置で前記画像に光を照射する第２の光源を備えると共に前記画像を透過した光又は前記画像から反射された光に基づいて前記画像を読み取って画像データとして出力する電荷蓄積型の第２の画像センサを備えた第２の測光系と、前記第１の画像センサから出力された画像データに基づいて前記第２の光源から照射される光の光量及び前記第２の画像センサの電荷蓄積時間の少なくとも一方を変化させて前記画像を読み取るように前記第２の測光系を制御する制御手段と、を備えた画像読取装置であって、前記制御手段は、前記第１の測光系から出力された画像データに基づいて、前記写真感光材料にＤＸコードが付されている場合の該ＤＸコードの検出、及び前記写真感光材料にコマ番号が付されている場合の該コマ番号の検出、の少なくとも一方を行い、前記第２の測光系から出力された画像データに基づいて、前記第２の測光系から出力された画像データに対する画像処理の処理条件の決定及び前記第２の測光系から出力された画像データを用いた画像検定の少なくとも一方を行うことを特徴としている。
【００１０】
請求項１に記載の画像読取装置によれば、画像が記録された写真感光材料が搬送手段によって上記画像が第１の読取位置及び第２の読取位置を順次通過するように搬送される。
【００１１】
また、上記第１の読取位置で上記画像に対して第１の測光系に備えられた第１の光源によって光が照射されると共に第１の測光系に備えられた第１の画像センサによって上記画像を透過した光又は上記画像から反射された光に基づいて、測光条件が固定された状態で上記画像が読み取られて画像データとして出力され、上記第２の読取位置で上記画像に対して第２の測光系に備えられた第２の光源によって光が照射されると共に第２の測光系に備えられた電荷蓄積型の第２の画像センサによって上記画像を透過した光又は上記画像から反射された光に基づいて上記画像が読み取られて画像データとして出力される。なお、上記第１の画像センサには電荷蓄積型の画像センサの他、シリコンフォトダイオード等の光電変換可能なセンサが全て含まれる。また、上記第２の画像センサには、ＣＣＤセンサ及びＭＯＳ型センサが含まれる。更に、上記測光条件には、上記第１の光源から照射される光の光量及び上記第１の画像センサが電荷蓄積型である場合の電荷蓄積時間が含まれる。
【００１２】
ここで、上記の第２の測光系による画像の読み取り時には、制御手段によって、第１の画像センサから出力された画像データに基づいて第２の光源から照射される光の光量及び第２の画像センサの電荷蓄積時間の少なくとも一方を変化させて上記画像が読み取られるように第２の測光系が制御される。
【００１３】
すなわち、例えば、上述したように、プレスキャンによって得られた画像データをファインスキャンを行う際の測光条件を決定する等のために用いる場合には、上記画像データのリニアリティが比較的低くても問題はないが、ファインスキャンによって得られる画像データは実際の画像出力に用いられるものであるので、高いリニアリティが要求される。
【００１４】
従って、プレスキャンは上記測光条件が固定とされた状態で画像を読み取る本発明の第１の測光系によって実施することが可能であり、このように第１の測光系を構成することによって、第１の測光系の構成を簡略化する（第２の測光系に対してデグレードされたものとする）ことができる。
【００１５】
このように、請求項１に記載の画像読取装置によれば、第１の測光系における測光条件を固定としているので、測光条件を調整する場合に比較して第１の測光系の構成を簡略化することができ、装置全体としてのコストを低下することができる。
【００１７】
また、請求項１に記載の画像読取装置では、制御手段によって、第１の測光系から出力された画像データに基づいて、写真感光材料にＤＸコードが付されている場合の該ＤＸコードの検出、及び写真感光材料にコマ番号が付されている場合の該コマ番号の検出、の少なくとも一方が行われ、第２の測光系から出力された画像データに基づいて、第２の測光系から出力された画像データに対する画像処理の処理条件の決定及び第２の測光系から出力された画像データを用いた画像検定の少なくとも一方が行われる。
【００１８】
ここで、上記ＤＸコードは写真感光材料のメーカー及び感度を示すコードであり、一般に広く用いられているものである。また、上記第２の測光系による測光条件は、第２の画像センサによって画像を読み取る際の電荷蓄積時間、及び第２の光源の光量が含まれる。また、上記画像処理の処理条件には、画像の拡大縮小率、ハイパートーンやハイパーシャープネス等の画像処理の処理条件、階調変換条件等が含まれる。さらに、上記画像検定は、画像データを用いてＣＲＴディスプレイ等の表示手段に画像を表示し、表示した画像をオペレータ等が参照することによって画像データの検定を行うものである。
【００１９】
請求項１記載の画像読取装置では、上記のＤＸコードの検出、及びコマ番号の検出は、比較的精度が低い画像データを用いても行うことができるため、測光条件が固定とされた第１の測光系によって得られた画像データを用いて行うこととし、上記の第２の測光系から出力された画像データに対する画像処理の処理条件の決定及び第２の測光系から出力された画像データを用いた画像検定は、比較的精度が高い画像データを用いて行うことが好ましいため、電荷蓄積時間が可変とされた第２の画像センサによって得られた画像データを用いて行うこととしている。
【００２０】
このように、請求項１に記載の画像読取装置によれば、比較的精度が低い画像データを用いても行うことができる処理は第１の測光系によって得られた画像データに基づいて行い、比較的精度が高い画像データを用いて行うことが好ましい処理のみを第２の測光系によって得られた画像データに基づいて行うようにしているので、装置全体としての画像読取効率を向上することができ、画像読取を高速に行うことができる。
【００２１】
また、請求項２記載の画像読取装置は、請求項１記載の画像読取装置において、前記制御手段によって行われる前記第２の測光系から出力された画像データに対する画像処理の処理条件の決定及び前記第２の測光系から出力された画像データを用いた画像検定の少なくとも一方が終了するまで前記第２の測光系から出力された画像データを記憶する記憶手段を更に備えたことを特徴としている。
【００２２】
請求項２記載の画像読取装置によれば、請求項１記載の画像読取装置における制御手段によって行われる第２の測光系から出力された画像データに対する画像処理の処理条件の決定及び第２の測光系から出力された画像データを用いた画像検定の少なくとも一方が終了するまで第２の測光系から出力された画像データが記憶手段に記憶される。
【００２３】
このように、請求項２に記載の画像読取装置によれば、請求項１記載の発明と同様の効果を奏することができると共に、制御手段によって行われる第２の測光系から出力された画像データに対する画像処理の処理条件の決定及び第２の測光系から出力された画像データを用いた画像検定の少なくとも一方が終了するまで第２の測光系から出力された画像データを記憶手段に記憶しているので、第２の測光系による画像の読取動作と、制御手段によって行われる第２の測光系から出力された画像データに対する画像処理の処理条件の決定及び第２の測光系から出力された画像データを用いた画像検定の少なくとも一方とを並行して実行することができ、画像読取を高速に行うことができる。
【００２４】
なお、請求項３に記載の発明のように、請求項１又は請求項２記載の画像読取装置において、前記第１の画像センサをエリアセンサとし、前記第２の画像センサをラインセンサとすることができる。
【００２５】
すなわち、例えば上述したプレスキャンを第１の測光系で行い、ファインスキャンを第２の測光系で行う場合、上述したようにプレスキャンは比較的高速で低精細に画像を読み取り、ファインスキャンは比較的低速で高精細に画像を読み取るものであるので、第１の画像センサの解像度を第２の画像センサに比較して低いエリアセンサとすることによって、第１の画像センサを安価なものとすることができ、装置全体としてのコストを低下することができる。
【００２８】
【発明の実施の形態】
以下、図面を参照して本発明の実施の形態について詳細に説明する。
【００２９】
図１には本実施の形態に係る写真処理システム１０が示されている。本写真処理システム１０には、図示しないカメラによって所定数の画像が撮影された写真感光材料としてのネガフィルム１２が多数本持ち込まれる。持ち込まれた多数本のネガフィルム１２は、スプライシングテープ等によって繋ぎ合わされ、層状に巻き取られた後に、本写真処理システム１０のフィルムプロセッサ１４にセットされる。
【００３０】
フィルムプロセッサ１４は、内部に発色現像槽２０、漂白槽２２、漂白定着槽２４、水洗槽２６、２８、安定槽３０が順に配置されており、これら各処理槽内には各々所定の処理液が貯留されている。フィルムプロセッサ１４にセットされたネガフィルム１２は、各処理槽の内部に順次送り込まれ、各処理液に浸漬されて発色現像、漂白、漂白定着、水洗、安定の各処理が施される。これにより、ネガフィルム１２に潜像として記録されていたネガ画像が可視化される。
【００３１】
また、安定槽３０の下流側には乾燥部３２が配置されている。乾燥部３２は図示しないファン及びヒータを備えており、ファンで生成された空気流をヒータで加熱して熱風とし、この熱風をネガフィルム１２に供給することによってネガフィルム１２の表面に付着した水分を乾燥させるようになっている。フィルムプロセッサ１４で処理されたネガフィルム１２は、一旦層状に巻き取られた後にフィルム画像読取装置１６へセットされる。
【００３２】
図２に示すように、フィルム画像読取装置１６の内部には、フィルム搬送路に沿ってプレスキャン部３６、ファインスキャン部３８が順に配置されている。各スキャン部３６、３８では、後述するようにネガフィルム１２に記録された画像の走査読み取りを各々行う。
【００３３】
フィルム搬送路の上流側には挿入検出センサ４０が設けられている。挿入検出センサ４０は、発光素子４０Ａと受光素子４０Ｂとの対がフィルム搬送路を挟んで対向配置されて構成されている。受光素子４０Ｂは制御回路４２に接続されている。制御回路４２は、受光素子４０Ｂから出力される信号のレベルの変化に基づいて、フィルム画像読取装置１６のフィルム搬送路にネガフィルム１２が挿入されたか否かを判断する。
【００３４】
挿入検出センサ４０とプレスキャン部３６との間には、ネガフィルム１２を挟持搬送する一対のローラ４４が配置されている。
【００３５】
一方、プレスキャン部３６は、プレスキャン部３６を通過するネガフィルム１２へ向けて光を射出するように配置されたランプ５２を備えている。ランプ５２はドライバ５４を介して制御回路４２に接続されており、射出する光の光量が予め定められた所定値となるようにドライバ５４から供給される電圧の大きさが制御回路４２によって制御される。ランプ５２の光射出側にはＣ（シアン）、Ｍ（マゼンタ）、Ｙ（イエロー）の３枚のＣＣフィルタから成るＣＣフィルタ群５６、光拡散ボックス５８が順に配置されており、さらにフィルム搬送路を挟んで結像レンズ６０、ＣＣＤエリアセンサ６２が順に配置されている。
【００３６】
ＣＣフィルタ群５６の各ＣＣフィルタは、ＣＣＤエリアセンサ６２におけるＲ、Ｇ、Ｂの３色の感度のばらつきを補正するために、光路中への挿入量が予め調整されている。ＣＣフィルタ群５６、光拡散ボックス５８、ネガフィルム１２、及び結像レンズ６０を順に透過した光はＣＣＤエリアセンサ６２の受光面に照射される。
【００３７】
本実施形態におけるＣＣＤエリアセンサ６２は、Ｒの光の光量を検出するセンサ、Ｇの光の光量を検出するセンサ及びＢの光の光量を検出するセンサが隣接配置されて成るセンサユニットがネガフィルム１２の幅方向に沿って２００個、長手方向に沿って３００個、マトリクス状に配置されて構成されている。従って、ＣＣＤエリアセンサ６２は画像を、前記センサユニットの間隔を１辺の大きさとする２００個×３００個の画素に分割し、各画素毎に透過光量を検出する。
【００３８】
一方、前記結像レンズ６０は、ネガフィルム１２に記録された読取対象とするコマ画像及びネガフィルム１２の幅方向両端部を含めた領域を透過した光を、ＣＣＤエリアセンサ６２の受光面に結像させる。
【００３９】
従って、ＣＣＤエリアセンサ６２は、図４に示すように、ネガフィルム１２の幅方向に対してはネガフィルム１２より若干大きく、ネガフィルム１２の長手方向に対しては１つのコマ画像１２Ａより若干大きな領域６２Ａ内の画像を１度に読取可能とされている。
【００４０】
ＣＣＤエリアセンサ６２の出力側には、増幅器６４、ＬＯＧ変換器６６、Ａ／Ｄ変換器６８が順に接続されている。ＣＣＤエリアセンサ６２から出力された信号は、増幅器６４で増幅され、ＬＯＧ変換器６６で対数変換され（濃度値に対応するレベルに変換される）、Ａ／Ｄ変換器６８によって信号レベルに対応する値のデジタルデータに変換される。Ａ／Ｄ変換器６８は制御回路４２に接続されており、前記変換されたデジタルデータは濃度値データとして制御回路４２に入力される。
【００４１】
ネガフィルム１２の搬送路上のＣＣＤエリアセンサ６２による画像読取可能な位置が本発明の第１の読取位置に、ランプ５２が本発明の第１の光源に、ＣＣＤエリアセンサ６２が本発明の第１の画像センサに、プレスキャン部３６が本発明の第１の測光系に、各々相当する。
【００４２】
また、プレスキャン部３６とファインスキャン部３８との間には、搬送ローラ対７４と従動ローラ７６とから成るローラ群と、従動ローラ７８Ａ、７８Ｂ、７８Ｃから成るローラ群と、が所定間隔隔てて配置されている。この２つのローラ群の間ではネガフィルム１２のループが形成される。このループにより、プレスキャン部３６におけるネガフィルム１２の搬送速度と、ファインスキャン部３８におけるネガフィルム１２の搬送速度と、の差が吸収される。
【００４３】
搬送ローラ対７４にはパルスモータ８０が連結されている。パルスモータ８０はドライバ８２を介して制御回路４２に接続されている。制御回路４２はドライバ８２を介してパルスモータ８０を駆動することにより、ネガフィルム１２を搬送させる。
【００４４】
また、搬送ローラ対７４の上流側近傍及び従動ローラ７８Ｂ、７８Ｃの下流側近傍には、制御回路４２に接続されたループ管理用センサ８３Ａ及び８３Ｂが各々配置されている。本実施形態におけるループ管理用センサ８３Ａ及び８３Ｂは、ネガフィルム１２上の目印（例えば、スプライス）を検出するものであり、制御回路４２は、ネガフィルム１２を搬送している間にループ管理用センサ８３Ａによって上記目印を検出した時点で制御回路４２に設けられた図示しないカウンタによるカウントを開始し、同一の上記目印をループ管理用センサ８３Ｂによって検出した時点で上記図示しないカウンタによるカウントを停止することによって得られたカウント値に基づいてループの長さ（ループを形成しているネガフィルム１２の長さ）を検出することができる。
【００４５】
一方、ファインスキャン部３８はプレスキャン部３６とほぼ同一の構成とされている。すなわち、ファインスキャン部３８はネガフィルム１２へ向けて光を射出するランプ８４を備えている。ランプ８４はドライバ８６を介して制御回路４２に接続されており、射出する光が所定の光量となるようにドライバ８６からの供給電圧の大きさが制御回路４２によって制御される。ランプ８４の光射出側には３枚のＣＣフィルタから成るＣＣフィルタ群８８、光拡散ボックス９０が順に配置されており、さらにフィルム搬送路を挟んで結像レンズ９２、ＣＣＤラインセンサ９４が順に配置されている。
【００４６】
ＣＣフィルタ群８８の各ＣＣフィルタは、ＣＣＤラインセンサ９４におけるＲ、Ｇ、Ｂの３色の感度のばらつきを補正するために、光路への挿入量が予め調整されている。ＣＣフィルタ群８８、光拡散ボックス９０、ネガフィルム１２及び結像レンズ９２を順に透過した光はＣＣＤラインセンサ９４の受光面に照射される。ＣＣＤラインセンサ９４は、Ｒの光の光量を検出するセンサ、Ｇの光の光量を検出するセンサ及びＢの光の光量を検出するセンサが隣接配置されて成る多数のセンサユニットが、ネガフィルム１２の幅方向に沿って所定間隔隔てて配列されて構成されている。なお、本実施形態におけるＣＣＤラインセンサ９４は、上記センサユニットが、ネガフィルム１２の幅方向に沿って１０００個（１０００画素分）配列されて構成されている。
【００４７】
従って、ＣＣＤラインセンサ９４は画像を、前記センサユニットの間隔を１辺の大きさとする多数個（本実施形態では１０００個）の画素に分割し、各画素毎に透過光量を検出する。前記結像レンズ９２は、ネガフィルム１２を透過した光のうち、ランプ８４から射出された光の光軸と交差しかつネガフィルム１２の幅方向に沿った１画素列を透過した光を、ＣＣＤラインセンサ９４の受光面に結像させる。
【００４８】
ＣＣＤラインセンサ９４の出力側には、増幅器９６、ＬＯＧ変換器９８、Ａ／Ｄ変換器１００が順に接続されている。ＣＣＤラインセンサ９４から出力された信号は、増幅器９６で増幅され、ＬＯＧ変換器９８で濃度値に対応するレベルに変換された後に、Ａ／Ｄ変換器１００によってデジタルデータに変換される。Ａ／Ｄ変換器１００は制御回路４２に接続されており、変換されたデジタルデータが濃度値データとして制御回路４２に入力される。
【００４９】
制御回路４２は数面の画像の濃度値データを保持可能な画像バッファ７０を備えており、入力された濃度値データを画像バッファ７０に記憶する。また、制御回路４２にはＣＲＴディスプレイ７２が接続されており、入力された濃度値データを用いて処理を行って、ポジ画像をＣＲＴディスプレイ７２に表示する。
【００５０】
また、制御回路４２は前記濃度値データに基づいて印画紙へのＲ、Ｇ、Ｂ３色の露光量を算出する。制御回路４２は後述するプリンタプロセッサ１８のプリンタ部１１０と接続されており、前記算出した露光量を表すデータをプリンタ部１１０の制御回路１２２（図３も参照）へ転送する。
【００５１】
ネガフィルム１２の搬送路上のＣＣＤラインセンサ９４による画像読取可能な位置が本発明の第２の読取位置に、ランプ８４が本発明の第２の光源に、ＣＣＤラインセンサ９４が本発明の第２の画像センサに、ファインスキャン部３８が本発明の第２の測光系に、画像バッファ７０が本発明の記憶手段に、制御回路４２が本発明の制御手段に、各々相当する。
【００５２】
ファインスキャン部３８の下流側には搬送ローラ対１０２が配置されている。搬送ローラ対１０２にもパルスモータ１０４が連結されている。パルスモータ１０４はドライバ１０６を介して制御回路４２に接続されている。制御回路４２はドライバ１０６を介してパルスモータ１０４を駆動することにより、ネガフィルム１２を搬送させる。
【００５３】
一方、プリンタプロセッサ１８（図１参照）には層状に巻き取られた印画紙１１２を収納するマガジン１１４がセットされている。印画紙１１２はマガジン１１４から引き出され、カッタ部１１６を介してプリンタ部１１０へ送り込まれる。プリンタ部１１０はフィルム画像読取装置１６の制御回路４２から露光量データが転送されると、該露光量データに基づいて印画紙１１２への画像の露光を行う。
【００５４】
図３に示すように、プリンタ部１１０はＲの波長のレーザビームを射出する半導体レーザ１１８Ｒを備えている。半導体レーザ１１８Ｒのビーム射出側には、コリメータレンズ１２４Ｒ、音響光学素子（ＡＯＭ）１３３Ｒ、Ｇの波長の光のみ反射するダイクロイックミラー１３４Ｇ、Ｂの波長の光のみ反射するダイクロイックミラー１３４Ｂ、ポリゴンミラー１２６が順に配置されている。
【００５５】
ＡＯＭ１３３は音響光学媒質を備えており、この音響光学素子の対向する面には、入力された高周波信号に応じて超音波を出力するトランスデューサと、音響光学媒質を通過した超音波を吸音する吸音体と、が貼付されている。ＡＯＭ１３３ＲのトランスデューサはＡＯＭドライバ１２０Ｒに接続されており、ＡＯＭドライバ１２０Ｒから高周波信号が入力されると、入射されたレーザビームから１本のレーザビームを回折させ、このレーザビームを記録用レーザビームとして射出する。この記録用レーザビームがダイクロイックミラー１３４Ｇ、１３４Ｂを介してポリゴンミラー１２６に入射される。
【００５６】
ＡＯＭドライバ１２０Ｒは制御回路１２２に接続されている。制御回路１２２ではＡＯＭドライバ１２０Ｒへ、入力された露光量データのうちＲの露光量データに応じた露光量制御信号を出力する。この露光量制御信号は、図１０に示すように周期ｔ０のパルス信号であり、パルス幅ｄは前記Ｒの露光量データの画素毎の露光量に応じて変更される。ＡＯＭドライバ１２０Ｒは、入力された露光量制御信号のレベルがハイレベルのときにＡＯＭ１３３Ｒに高周波信号を出力し、これに伴ってＡＯＭ１３３Ｒから記録用レーザビームが射出される。従って、Ｒの露光量データに基づいて、周期ｔ０毎に印画紙１１２に照射されるＲの波長のレーザビームの光量が変更されることになる。
【００５７】
また、プリンタ部１１０は、所定の波長のレーザビームを射出する半導体レーザ１１８Ｇ、１１８Ｂを備えている。半導体レーザ１１８Ｇのビーム射出側には、波長変換素子１３２Ｇ、コリメータレンズ１２４Ｇ、ＡＯＭ１３３Ｇ、全反射ミラー１３６Ｇが順に配置されている。ＡＯＭ１３３ＧはＡＯＭドライバ１２０Ｇを介して制御回路１２２に接続されている。制御回路１２２はＡＯＭドライバ１２０ＧへＧの露光量データに応じた露光量制御信号を出力する。ＡＯＭドライバ１２０ＧはＡＯＭドライバ１２０Ｒと同様に露光量制御信号がハイレベルのときに高周波信号を出力する。
【００５８】
これにより、半導体レーザ１１８Ｇから射出されたレーザビームは、波長変換素子１３２ＧによりＧの波長に変換されてＡＯＭ１３３Ｇに入射され、ＡＯＭドライバ１２０Ｇより高周波信号が入力されているときにＡＯＭ１３３Ｇから記録用レーザビームが射出され、全反射ミラー１３６Ｇで反射されダイクロイックミラー１３４Ｇで反射されて、半導体レーザ１１８Ｒから射出されたレーザビームと合波される。
【００５９】
また、半導体レーザ１１８Ｂのビーム射出側にも、波長変換素子１３２Ｂ、コリメータレンズ１２４Ｂ、ＡＯＭ１３３Ｂ、全反射ミラー１３６Ｂが順に配置されている。ＡＯＭ１３３ＢもＡＯＭドライバ１２０Ｂを介して制御回路１２２に接続されている。制御回路１２２はＡＯＭドライバ１２０ＢへＢの露光量データに応じた露光量制御信号を出力する。半導体レーザ１１８Ｂから射出されたレーザビームは、波長変換素子１３２ＢによりＢの波長に変換されてＡＯＭ１３３Ｂに入射され、ＡＯＭドライバ１２０Ｂより高周波信号が入力されているときにＡＯＭ１３３Ｂから射出された記録用レーザビームが、全反射ミラー１３６Ｂで反射されダイクロイックミラー１３４Ｂで反射されて、半導体レーザ１１８Ｒから射出されたレーザビーム及び半導体レーザ１１８Ｇから射出されたレーザビームと合波される。
【００６０】
ダイクロイックミラー１３４Ｇ、１３４Ｂで合波されたレーザビームは、ポリゴンミラー１２６に入射される。ポリゴンミラー１２６はポリゴンミラードライバ１２８を介して制御回路１２２に接続されており、ポリゴンミラードライバ１２８によって回転駆動されると共に、回転速度が制御される。ポリゴンミラー１２６に入射されたレーザビームは、ポリゴンミラー１２６の回転によって射出方向が順次変更され、図３の水平方向に沿って走査される。ポリゴンミラー１２６のレーザビーム射出側にはミラー１３０が配置されている。ポリゴンミラー１２６で反射されたレーザビームは、ミラー１３０によって図３における下方へ反射される。
【００６１】
ミラー１３０のレーザビーム射出側には、走査レンズ１３８、ミラー１４０が順に配置されている。ミラー１３０で反射されたレーザビームは、走査レンズ１３８を透過してミラー１４０で反射される。ミラー１４０のレーザビーム射出側には、長手方向が図３の鉛直方向と一致するように印画紙１１２が配置されており、ミラー１４０で反射されたレーザビームは印画紙１１２に照射される。また、印画紙１１２搬送路のレーザビーム照射位置よりも下方には、印画紙１１２を挟持搬送する搬送ローラ対１４２が配置されている。搬送ローラ対１４２にはパルスモータ１４４が連結されている。パルスモータ１４４はドライバ１４６を介して制御回路１２２に接続されている。制御回路１２２はドライバ１４６を介してパルスモータ１４４を駆動することにより、印画紙１１２を図３の下方へ向けて搬送させる。
【００６２】
図１に示すように、プリンタ部１１０を通過した印画紙１１２は、リザーバ部１５０へ送り込まれる。リザーバ部１５０は所定間隔隔てて一対のローラ１５２が設けられており、印画紙１１２はこの一対のローラ１５２間でループが形成される。このループによって、プリンタ部１１０と下流側のプロセッサ部１５４との搬送速度差が吸収される。プロセッサ部１５４には、発色現像槽１５６、漂白定着槽１５８、水洗槽１６０、１６２、１６４が順に配置されている。これら各処理槽内には各々所定の処理液が貯留されている。印画紙１１２は各処理槽内へ順に送り込まれ、各処理液に浸漬されて処理される。
【００６３】
プロセッサ部１５４の下流側には乾燥部１６６が設けられている。乾燥部１６６は図示しないファンとヒータとによって生成した熱風を印画紙１１２に供給する。これにより、印画紙１１２の表面に付着した水分が乾燥される。乾燥部１６６を通過した印画紙１１２は、カッタ部１６８でプリント毎に切断された後にプリンタプロセッサ１８の外部へ排出される。
【００６４】
ところで、本実施形態で読取対象とするネガフィルム１２の幅方向（ネガフィルム１２の搬送方向に直交する方向）両端部には、図４に示すように、コマ番号を示すバーコード１７０及びＤＸコード（写真フィルムのメーカー及び感度を示すコード）を示すバーコード１７２がコマ画像１２Ａ毎に記録されている。
【００６５】
ここで、本実施形態におけるフィルム画像読取装置１６の有する主な機能を表１を参照して説明する。
【００６６】
【表１】
0003566592.tif 000002
【００６７】
表１における「ファインスキャンの測光条件決定」は、ファインスキャン時におけるランプ８４の光量及びＣＣＤラインセンサ９４の電荷蓄積時間をプレスキャンによって得られた濃度値データに基づいて決定するものであり、例えばプレスキャンによって得られた濃度値データの値が高くなるに従ってランプ８４の光量を大きくすると共に、ＣＣＤラインセンサ９４の電荷蓄積時間を長くするようにファインスキャン時の測光条件を決定する。
【００６８】
また、表１における「オートセットアップ処理」は、請求項２及び請求項３記載の発明における画像処理に相当するものであり、本実施形態における「オートセットアップ処理」は、コマ画像の濃度種別を判定すると共に該濃度種別に基づいてファインスキャンによって得られた濃度値データに対する画像処理の処理条件を求めて記憶するものである。
【００６９】
さらに、表１における「ポジ画像検定」は、ファインスキャン部３８によって得られた画像データをネガ画像からポジ画像に変換してＣＲＴディスプレイ７２に表示することによって、この表示画像を参照することにより、例えばオペレータが露光量に対する色、濃度等の補正を指示するものである。
【００７０】
なお、表１には示していないが、本実施形態におけるプレスキャンでは、「コマ画像のサイズの検出」、「コマ番号の検出」、「ＤＸコードの検出」、及び「不要コマ画像の検出」も行うことができる。
【００７１】
上述したように、本実施形態で読取対象としているネガフィルム１２の幅方向両端部には、コマ番号を示すバーコード１７０及びＤＸコードを示すバーコード１７２がコマ画像１２Ａ毎に記録されている（図４参照）と共に、プレスキャン部３６により得られた濃度値データには、コマ画像１２Ａのみならずバーコード１７０及び１７２に対応する濃度値データも含まれているので、該バーコード１７０及び１７２の位置に対応する濃度値データを参照することにより、上記「コマ番号の検出」及び「ＤＸコードの検出」を実現することができる。
【００７２】
また、上記「不要コマ画像」の対象となる画像は、コマ画像内の主要被写体に対する焦点がずれている画像（所謂、ピンボケ画像）、主要被写体の状態が判別できない程度の超オーバー露光又は超アンダー露光の画像等である。なお、上記ピンボケ画像か否かは、例えば、画像データの高域周波数の有無によって判断することができる（高域周波数が無い場合はピンボケ画像であると判断）。また、超オーバー露光又は超アンダー露光の画像は、例えば、読取対象とするコマ画像に対応する濃度値データの平均値の大小によって判断することができる。
【００７３】
以上に基づいて、プレスキャン部３６及びファインスキャン部３８の各々によって得られた画像データ（濃度値データ）に基づいて行われる各種処理をまとめると表２に示すようになる。
【００７４】
【表２】
0003566592.tif 000003
【００７５】
なお、表２において、プレスキャン部３６によって得られた濃度値データに基づいて行われる処理として記載した各処理は、測光条件（ランプの光量及びＣＣＤセンサの電荷蓄積時間）を固定として得られるプレスキャンによる比較的低精細な濃度値データを用いて行っても問題が発生しない程度の精度しか要求されない処理である。また、「オートセットアップ処理」及び「ポジ画像検定」は、解像度の点ではプレスキャン部３６により得られた濃度値データでも問題ないが、濃度値データのリニアリティの点ではファインスキャン部３８により得られる濃度値データと同程度であることが好ましいので、ファインスキャン部３８の処理として分担させている。
【００７６】
次に本実施の形態の作用を説明する。フィルムプロセッサ１４にセットされたネガフィルム１２は、各処理槽内に送り込まれた後に乾燥部３２に送り込まれ、発色現像、漂白、漂白定着、水洗、安定、乾燥の各処理が施される。これにより、カメラによって記録された潜像が可視化される。フィルムプロセッサ１４で処理されたネガフィルム１２は、フィルム画像読取装置１６にセットされる。
【００７７】
次に図５及び図６のフローチャートを参照して、フィルム画像読取装置１６のプレスキャン部３６の作用を説明する。
【００７８】
図５のステップ２００では、フィルム画像読取装置１６にネガフィルム１２が挿入されたか否かを、挿入検出センサ４０から入力される信号に基づいて判定する。フィルム画像読取装置１６にネガフィルム１２が挿入されたと判断するとステップ２００の判定が肯定されてステップ２０２へ移行する。
【００７９】
ステップ２０２では、ドライバ５４によりランプ５２を点灯させる。この際のランプ５２の光量は予め設定されている固定量としており、光量を調整するための機構等を必要としないため、ドライバ５４の構成を簡略化することができる。
【００８０】
次のステップ２０４では、ループ管理用センサ８３Ａ及び８３Ｂからの出力信号に基づいてプレスキャン部３６とファインスキャン部３８との間に設けられたループの長さを検出し、該ループの長さが所定の許容値より小さいか否かを判定して、小さくない場合は小さくなるまで待機する。
【００８１】
すなわち、例えば、ファインスキャン部３８の処理がプレスキャン部３６の処理より遅い場合には、時間の経過に伴ってループ長が徐々に長くなり、上記所定の許容値を越えてしまう。そこでステップ２０４では、ループ長が許容値以上となった場合に、プレスキャン部３６の動作を一時的に停止しているのである。
【００８２】
ループ長が許容値より小さな場合、すなわちステップ２０４の判定が肯定された場合にはステップ２０６へ移行してネガフィルム１２の搬送を開始する。
【００８３】
次のステップ２０８では、所定の画像読取位置にコマ画像が到達したか否か、より詳しくは、ＣＣＤエリアセンサ６２による読取可能領域に読取対象とするコマ画像が納まったか否かを判定する。ネガフィルム１２は、各コマ画像の間に未露光領域が存在し、この未露光領域は素抜け状態とされているので、コマ画像のエッジ（ネガフィルム１２の搬送方向先端及び後端のエッジ）においては、ＣＣＤエリアセンサ６２から出力されて制御回路４２に入力される濃度値データが大きく変化する。従って、この濃度値データが大きく変化する位置に基づいてコマ画像が上記所定の画像読取位置に到達したか否かを判定することができる。
【００８４】
ステップ２０８により画像読取位置にコマ画像が到達していないと判定（否定判定）された場合にはステップ２０４へ戻り、到達するまでステップ２０４〜２０８の処理を繰り返して実行した後にステップ２１０へ移行する。
【００８５】
ステップ２１０ではネガフィルム１２の搬送を停止し、次のステップ２１２では読取対象とするコマ画像の位置を制御回路４２に設けられた図示しない記憶部に記憶する。すなわち、この時点における読取対象とするコマ画像は、プレスキャン部３６における画像読取位置に位置しているので、この時点における読取対象とするコマ画像のエッジの位置に基づき、ネガフィルム１２に設けられているパーフォレーションの位置等と対応づけてコマ画像の位置を判定し、該コマ画像の位置を上記図示しない記憶部に記憶する。
【００８６】
コマ画像の位置の記憶を終了すると次のステップ２１４では、画像の走査読取処理（後述）を行い、次のステップ２１６でネガフィルム１２に記録されている全てのコマ画像について処理が終了したか否か判定する。ステップ２１６の判定が否定された場合にはステップ２０４へ戻って上記処理を繰り返して実行し、ステップ２１６の判定が肯定された時点でステップ２１８へ移行してランプ５２を消灯した後に本処理を終了する。
【００８７】
上記により、プレスキャン部３６は単一のコマ画像に対して、上記ループ長が許容値より小さな状態において、読取対象とするコマ画像の位置の記憶、及び画像の走査読取の各処理が順次行われる。
【００８８】
次に図６のフローチャートを参照してプレスキャン部３６における走査読取処理（図５のステップ２１４の処理）の詳細について説明する。なお、この処理を実行する際には画像読取位置にコマ画像が位置しており、ランプ５２から射出されＣＣフィルタ群５６、光拡散ボックス５８、及びネガフィルム１２を透過した光が、結像レンズ６０によってＣＣＤエリアセンサ６２の受光面に結像されており、ＣＣＤエリアセンサ６２から出力された信号は、増幅器６４で増幅され、ＬＯＧ変換器６６で濃度値に対応するレベルに変換され、Ａ／Ｄ変換器６８でデジタルデータに変換されて保持されている。プレスキャン部３６により得られる濃度値データのリニアリティはファインスキャン部３８により得られる濃度値データ程必要としないので、この際のＣＣＤエリアセンサ６２の電荷蓄積時間は比較的短い固定時間としている。
【００８９】
ステップ２５０では、Ａ／Ｄ変換器６８から１コマ画像分の濃度値データを取込み、次のステップ２５２では、取り込んだ濃度値データを、マトリクス状に配列された多数のセンサユニット毎の感度のばらつきに応じて補正する。
【００９０】
次のステップ２５４では、ステップ２５２による補正後の濃度値データに基づいてコマ画像のサイズを検出して上記図示しない記憶部に記憶する。なお、読取対象のネガフィルム１２が１３５サイズのネガフィルムであれば、コマ画像のサイズ（この場合はコマ画像のフレームサイズ）は、例えば標準サイズのコマ画像では画像記録範囲内となり、パノラマサイズ等の非標準サイズのコマ画像では画像記録範囲外となる所定部分の濃度や色味が、未露光部（素抜け）に相当する濃度や色味であるか否かに基づいて判定することができる。
【００９１】
また、特開平８−３０４９３２号公報、特開平８−３０４９３３号公報、特開平８−３０４９３４号公報、特開平８−３０４９３５号公報のように、プレスキャンにより得られた各画素毎の濃度値データに基づき、各画素毎にフィルム幅方向に沿った濃度変化値を各々演算し、各画素のフィルム幅方向に沿った濃度変化値をフィルム長手方向に沿ったライン単位で積算し、各ライン毎の積算値を比較することでフィルム画像のサイズ（アスペクト比）を判定したり、濃度ヒストグラムから閾値を定めて画像を二値化し、画像中の各領域における画像の存在率に基づいて判定したり、上記の手法を組み合わせて判定するようにしてもよい。
【００９２】
次のステップ２５６では、ネガフィルム１２の幅方向両端部に記録されたバーコード１７０及び１７２の領域に対応する濃度値データに基づいてＤＸコード及びコマ番号を検出して上記図示しない記憶部に記憶し、次のステップ２５８では、読取対象とするコマ画像の領域に対応する濃度値データに基づいて、ファインスキャン部３８によるファインスキャン時の最適な測光条件（ランプ８４の光量及びＣＣＤラインセンサ９４の電荷蓄積時間）を決定して上記図示しない記憶部に記憶する。
【００９３】
なお、本実施形態では、濃度値データの最小値を抽出し、該最小値に基づいて、読み取りを行ったコマ画像に対するファインスキャン部３８のランプ８４の最適な光量及びＣＣＤラインセンサ９４の電荷蓄積時間を演算し、記憶する。これは、濃度値データの最小値が非常に小さい場合には、ファインスキャン部３８における画像の読み取りに際して、ＣＣＤラインセンサ９４からの出力信号のレベルが飽和する虞れがあるためである。
【００９４】
次のステップ２６０では、読取対象とするコマ画像の領域に対応する濃度値データに基づいて、読取対象とするコマ画像が不要コマ画像（ピンボケ画像、超オーバー露光画像、超アンダー露光画像等）であるか否かを判定し、不要コマ画像である場合にはステップ２６２でその旨を記憶した後に本走査読取処理を終了する。
【００９５】
次に図７のフローチャートを参照して、ファインスキャン部３８における画像の読取処理について説明する。
【００９６】
ステップ３００では、画像バッファ７０の残容量が所定値より多いか否かを判定し、多くない場合（否定判定）の場合は多くなるまで待機する。すなわち、画像バッファ７０には、後述する処理によって得られた濃度値データが逐次記憶されるため、時間の経過に従って徐々に残容量が減少する。この残容量の減少が続くと、最終的には濃度値データを画像バッファ７０に記憶することができなくなり、最悪の場合には装置全体が停止してしまう。この不具合を回避するために、ステップ３００において画像バッファ７０の残容量をチェックしているのである。
【００９７】
次のステップ３０２ではネガフィルム１２の搬送を開始し、次のステップ３０４ではＣＣＤラインセンサ９４による画像読取位置に画像の先頭の画素列が到達したか否か判定する。ステップ３０４の判定が否定された場合にはステップ３０２に戻り、ステップ３０４の判定が肯定されるまで、ステップ３０２、３０４の処理を繰り返し、ネガフィルム１２の搬送を継続する。なお、ステップ３０４による判定は、上記ステップ２１２（図５も参照）において図示しない記憶部に記憶されたコマ画像の位置に基づいて行うことができる。
【００９８】
ステップ３０４の判定が肯定されるとステップ３０６へ移行し、上述したステップ２６０及びステップ２６２の処理によって図示しない記憶部に記憶されている不要コマ画像であるか否かを示す情報を参照して、ファインスキャンの対象とするコマ画像が不要コマ画像であるか否かを判定し、不要コマ画像である場合は後述するステップ３２０へ移行し、不要コマ画像でない場合にはステップ３０８へ移行する。
【００９９】
ステップ３０８では、プレスキャン部３６で求められ記憶されたランプ８４の最適な光量及びＣＣＤラインセンサ９４の電荷蓄積時間を取込み、次のステップ３１０では、ランプ８４に供給する電圧が前記最適な光量に応じた値となるように制御すると共に、ＣＣＤラインセンサ９４の電荷蓄積時間をステップ３０８で取込んだ電荷蓄積時間に設定する。なお、ランプ８４の光量の制御は、ＣＣフィルタ群８８の各ＣＣフィルタの光路への挿入量を変化させることによっても行うことができる。また、上記の電荷蓄積時間の設定を行う際には、設定する電荷蓄積時間がネガフィルム１２のパルスモータ１０４による１画素分の搬送時間を越える場合には、ネガフィルム１２のパルスモータ１０４による搬送速度も変更する（電荷蓄積時間が長い程、ネガフィルム１２の搬送速度を遅くする）必要がある。
【０１００】
ステップ３１０の処理を行った後はランプ８４の光量が安定するまで若干待った後にステップ３１２へ移行し、ステップ３１２〜３１８で画像の読取処理を行う。
【０１０１】
すなわち、ステップ３１２では、Ａ／Ｄ変換器１００から１画素列分の濃度値データを取込み、次のステップ３１４では、取り込んだ濃度値データを、ＣＣＤラインセンサ９４の多数のセンサユニット毎の感度のばらつきに応じて補正し、補正したデータを画像バッファ７０に記憶する。
【０１０２】
次のステップ３１６では、ドライバ１０６を介してパルスモータ１０４を駆動し、ネガフィルム１２を画像列の間隔に対応する所定量だけ搬送する。なお、この搬送量はセンサユニットの間隔に対応している。従って、本ファインスキャン部３８では、プレスキャン部３６に比較して、画像をより細密に多数の画素に分割し、各画素の透過光量を測定する。
【０１０３】
次のステップ３１８では、１画面分の画像の読み取りが終了したか否か判定する。ステップ３１８の判定が否定された場合にはステップ３１２へ戻り、ステップ３１８の判定が肯定されるまでステップ３１２乃至ステップ３１８の処理を繰り返す。これにより、画像バッファ７０には単一のコマ画像のＲ画像データ、Ｇ画像データ、Ｂ画像データが各々記憶される。
【０１０４】
次のステップ３２０では、ネガフィルム１２に記録された全てのコマ画像に対して濃度値データを画像バッファ７０に記憶したか否か判定する。ステップ３２０の判定が否定された場合にはステップ３００へ戻り、ステップ３００乃至ステップ３２０の処理を繰り返す。ステップ３２０の判定が肯定されると、処理を終了する。
【０１０５】
次に、図８のフローチャートを参照して、ファインスキャン部３８により、画像バッファ７０に濃度値データが少なくとも１コマ画像分記憶されている際に実行される割り込み処理について説明する。なお、本割り込み処理では、ファインスキャン部３８により得られた濃度値データに対する画像処理の処理条件を自動的に設定するオートセットアップ処理、及びファインスキャン部３８によって得られた濃度値データが表すコマ画像のポジ画像検定を行う。
【０１０６】
まず、ステップ３５０では、画像バッファ７０から１コマ画像分の濃度値データを取込み、次のステップ３５２では、シェーディング補正を行う。これは、ランプ８４から射出される光の光量についても、光軸位置をピークとして周辺へ向かうに従って徐々に減衰する分布となっているためである。本ステップ３５２では、画像バッファ７０から取込んだ濃度値データを予め測定されたランプ８４の光量の分布に応じて補正する。
【０１０７】
次のステップ３５４では、ステップ３５２でシェーディング補正された濃度値データに基づいて自動的にコマ画像の濃度種別を判定すると共に該濃度種別に基づいて濃度値データに対する画像処理の処理条件を求めて記憶するオートセットアップ処理を行う。
【０１０８】
コマ画像の濃度種別は、例えば平均濃度、最大濃度、最小濃度等を予め定められた所定値と比較することで、低濃度／通常濃度／高濃度／超高濃度等に分類することができる。また画像処理の処理条件としては、例えば画像の拡大縮小率、ハイパートーンやハイパーシャープネス等の画像処理の処理条件（具体的には、画像の超低周波輝度成分に対する階調の圧縮度、画像の高周波成分や中周波成分に対するゲイン（強調度））、階調変換条件等が演算される。
【０１０９】
オートセットアップ処理が終了すると次のステップ３５６では、濃度値データに対して上記オートセットアップ処理によって得られた画像処理の処理条件に従って画像処理（画像の拡大縮小、階調変換、ハイパートーン処理、ハイパーシャープネス処理等）を行い、次のステップ３５８では、画像処理後の濃度値データをポジ画像のデータに変換し、次のステップ３６０では、該ポジ画像データに基づいてポジ画像をＣＲＴディスプレイ７２に表示し、この表示画像を参照することにより、例えばオペレータが色、濃度等の補正を指示するポジ画像検定を行う。このポジ画像検定においてオペレータから何らかの補正の指示が行われた場合には、該指示に応じた補正を上記濃度値データに対して行う。なお、この際、ＣＲＴディスプレイ７２の表示に用いるポジ画像データは、ファインスキャン部３８によって得られたものであり解像度がＣＲＴディスプレイ７２に表示するには高過ぎるので、上記ポジ画像データを所定画素毎に間引いたものを用いる。また、この際、ＣＲＴディスプレイ７２に表示される画像は、プリンタプロセッサ１８による出力画像と見え具合ができるだけ一致するようにポジ画像データを補正する。
【０１１０】
次のステップ３６２では、ステップ３６０によるポジ画像検定後のポジ画像データ（ＣＲＴディスプレイ７２の表示用に間引いていないもの）を指数変換することにより各画素に対するＲ、Ｇ、Ｂの露光量を表す露光量データを求め、次のステップ３６４では、上記により算出した露光量データをプリンタ部１１０の制御回路１２２へ転送し、次のステップ３６６では画像バッファ７０からプリンタ部１１０へ転送した露光量データに対応する濃度値データを消去する。
【０１１１】
次のステップ３６８では、画像バッファ７０に記憶されている全ての濃度値データに対して上記ステップ３５０〜３６６の処理、すなわちオートセットアップ処理、ポジ画像検定、及び露光量データのプリンタ部１１０への転送等の各処理が終了したか否かを判定し、終了していない場合はステップ３５０に戻って上記各処理を繰り返して実行した後に本割り込み処理を終了する。
【０１１２】
続いて、図９のフローチャートを参照し、プリンタ部１１０における露光制御処理について説明する。ステップ４００ではポリゴンミラー１２６の回転を開始させる。ステップ４０２では、パルスモータ１４４を介して印画紙１１２を搬送し、印画紙１１２の未露光部分を露光位置に位置決めする。ステップ４０４では、露光を行う画像に対応する露光量データを取り込む。次のステップ４０６以降では、印画紙への画像の露光を行う。すなわち、ステップ４０６では取り込んだ露光量データのうち、最初の１ラインに対応するＲの露光量データに応じた露光量制御信号をＡＯＭドライバ１２０Ｒへ、Ｇの露光量データに応じた露光量制御信号をＡＯＭドライバ１２０Ｇへ、Ｂの露光量データに応じた露光量制御信号をＡＯＭドライバ１２０Ｂへ、各々出力する。
【０１１３】
ＡＯＭドライバ１２０Ｒ、Ｇ、Ｂは、各々入力された露光量制御信号のレベルがハイレベルのときにＡＯＭ１３３Ｒ、Ｇ、Ｂへ高周波信号を出力する。これにより、ＡＯＭ１３３Ｒ、Ｇ、Ｂからは、各々露光量制御信号のパルス周期ｔ０毎に前記パルス幅ｄに応じた時間だけ記録用レーザビームが射出され、ダイクロイックミラー１３４Ｇ、１３４Ｂによって合波されてポリゴンミラー１２６に入射される。
【０１１４】
印画紙１１２へのレーザビームの照射位置は、ポリゴンミラー１２６の回転によって順次移動するが、前記露光量制御信号のパルス周期ｔ０は、パルス周期ｔ０でのレーザビームの照射位置の移動量が、印画紙１１２に記録する画像の画素間隔に対応するように定められている。従って、前記パルス幅ｄによって各画素についてのレーザビームの照射時間が異なることになるので、露光量データに応じて１画素毎に露光量が変更されることになる。ポリゴンミラー１２６で反射されたレーザビームは、ミラー１３０、１４０で反射されて印画紙１１２に照射され、ポリゴンミラー１２６によるレーザビームの１走査で印画紙１１２への１画素列分（１ライン分）の露光が行われる。
【０１１５】
１ライン分の露光が行われるとステップ４０８へ移行し、ポリゴンミラー１２６の回転角が入射されたレーザビームを走査開始位置へ反射する回転角となるまでの間に、パルスモータ１４４によって１ラインの間隔に対応する所定量だけ印画紙１１２を搬送する。次のステップ４１０では１画像分の露光が終了したか否か判定する。ステップ４１０の判定が否定された場合にはステップ４０６へ戻り、次の１ラインに対応する露光量データに応じた露光量制御信号をＡＯＭドライバ１２０Ｒ、Ｇ、Ｂへ各々出力し、上記と同様にして次の１ラインの露光を行う。
【０１１６】
ステップ４０６乃至ステップ４１０の処理を所定回繰り返すことによって、前記露光量データに応じた画像の露光が行われる。１画像分の露光処理が終了するとステップ４１０の判定が肯定され、ステップ４１２へ移行する。ステップ４１２では転送された全ての露光データに対する露光が終了したか否か判定する。ステップ４１２の判定が否定された場合にはステップ４０２へ戻り、上記と同様にして次の画像に対する露光処理を行う。ステップ４１２の判定が肯定されると、ステップ４１４でポリゴンミラー１２６の回転を停止させ、本露光制御処理を終了する。
【０１１７】
露光制御処理の終了した印画紙１１２は、カッタ部１１６によって未露光部分が切断されてマガジン１１４内に巻戻されると共に、画像が露光された部分はプロセッサ部１５４の各処理槽内に送り込まれた後に乾燥部１６６に送り込まれ、発色現像、漂白定着、水洗、乾燥の各処理が施され、プリンタ部１１０で露光された画像が可視化される。乾燥が終了した印画紙１１２は画像コマ毎に切断されてプリンタプロセッサ１８の機体外に排出される。
【０１１８】
以上詳細に説明したように、本実施形態に係るフィルム画像読取装置では、プレスキャン時におけるＣＣＤエリアセンサ６２の電荷蓄積時間を固定としているので、電荷蓄積時間を調整する場合に比較してプレスキャン部３６の構成を簡略化することができ、装置全体としてのコストを低下することができる。
【０１１９】
また、本実施形態に係るフィルム画像読取装置では、固定の測光条件でかつ比較的低分解能での読み取りによって得られる画像データ（濃度値データ）に基づいて実行可能な処理をプレスキャン部３６に分担し、読取対象とする画像の特性等に応じて条件を設定する必要があり、かつ比較的高分解能での読み取りによって得られる画像データに基づいて実行した方が好ましい処理をファインスキャン部３８に分担することによって、プレスキャン部３６のＣＣＤセンサとして比較的安価な低分解能のＣＣＤエリアセンサ６２を適用可能としているので、装置全体としてのコストを低下することができる。
【０１２０】
また、本実施形態に係るフィルム画像読取装置では、コマ画像の位置、コマ画像のサイズ、ＤＸコード、及びコマ番号をプレスキャンによって得られた濃度値データに基づいて検出しているので、これらを専用のセンサ等を用いて検出する場合に比較して、装置全体としてのコストを低下することができる。
【０１２１】
さらに、本実施形態に係るフィルム画像読取装置では、ファインスキャン部３８により得られた画像データ（濃度値データ）をオートセットアップ処理及びポジ画像検定が終了するまで保持するための画像バッファ７０を備えているので、ファインスキャンによる画像の読取動作とオートセットアップ処理及びポジ画像検定とを並行して実行することができ、高速な画像読取を行うことができる。
【０１２２】
なお、本実施形態では、表２に示した各処理を全て実施する場合について説明したが、本発明はこれに限定されるものではなく、プレスキャン部３６及びファインスキャン部３８の各々の各処理のうちの少なくとも１つを実施する形態としてもよい。
【０１２３】
また、本実施形態では、ＣＣＤエリアセンサ６２の電荷蓄積時間及びランプ５２の光量を固定としてプレスキャンを行う場合について説明したが、本発明はこれに限定されるものではなく、例えばＣＣＤエリアセンサ６２の電荷蓄積時間及びランプ５２の光量の何れか一方のみを固定としてプレスキャンを行う形態としてもよい。
【０１２４】
また、本実施形態では、オートセットアップ処理及びポジ画像検定をファインスキャンによって得られた濃度値データに基づいて行う場合について説明したが、本発明はこれに限定されるものではなく、これらの処理をプレスキャンによって得られた濃度値データに基づいて行う形態としてもよい。通常、プレスキャンはファインスキャンに比較して高速に行われるため、オートセットアップ処理及びポジ画像検定をプレスキャン側で実施させることによってプレスキャンとファインスキャンの各々の処理時間のバランスが良くなり、この結果として全体的な処理速度をより高速化することができるが、プレスキャンによって得られる濃度値データはファインスキャンによって得られるものとは異なるものであるため、例えばプレスキャンによる濃度値データに基づいて決定した処理条件によってファインスキャンによる濃度値データを画像処理した場合、本実施形態に比較して画像処理の処理精度が低下する。
【０１２５】
また、本実施形態では、画素毎に露光量を定め、プリンタ部１１０において画素毎に走査露光する場合を例に説明したが、本発明はこれに限定されるものではなく、一般的なプリンタで多数採用されている面露光する場合に適用することも可能である。
【０１２６】
また、本実施形態では、本発明の写真感光材料としてネガフィルムを適用した場合について説明したが、本発明はこれに限定されるものではなく、リバーサルフィルム（ポジフィルム）の読み取りに対しても本発明は適用できることはいうまでもない。
【０１２７】
【発明の効果】
請求項１記載の画像読取装置によれば、第１の測光系における測光条件を固定としているので、測光条件を調整する場合に比較して第１の測光系の構成を簡略化することができ、装置全体としてのコストを低下することができると共に、比較的精度が低い画像データを用いても行うことができる処理は第１の測光系によって得られた画像データに基づいて行い、比較的精度が高い画像データを用いて行うことが好ましい処理のみを第２の測光系によって得られた画像データに基づいて行うようにしているので、装置全体としての画像読取効率を向上することができ、画像読取を高速に行うことができる、という効果が得られる。
【０１２９】
また、請求項２記載の画像読取装置によれば、請求項１記載の発明と同様の効果を奏することができると共に、制御手段によって行われる第２の測光系から出力された画像データに対する画像処理の処理条件の決定及び第２の測光系から出力された画像データを用いた画像検定の少なくとも一方が終了するまで第２の測光系から出力された画像データを記憶手段に記憶しているので、第２の測光系による画像の読取動作と、制御手段によって行われる第２の測光系から出力された画像データに対する画像処理の処理条件の決定及び第２の測光系から出力された画像データを用いた画像検定の少なくとも一方とを並行して実行することができ、画像読取を高速に行うことができる、という効果が得られる。
【０１３０】
また、請求項３記載の画像読取装置によれば、第１の画像センサをエリアセンサとし、第２の画像センサをラインセンサとしているので、第１の画像センサの解像度を第２の画像センサに比較して低いエリアセンサとすることによって、第１の画像センサを安価なものとすることができ、装置全体としてのコストを低下することができる、という効果が得られる。
【図面の簡単な説明】
【図１】実施の形態に係る写真処理システムの概略構成図である。
【図２】フィルム画像読取装置の概略構成図である。
【図３】プリンタ部の概略構成を示す斜視図である。
【図４】ネガフィルムの構成及びＣＣＤエリアセンサの読取領域を示す平面図である。
【図５】フィルム画像読取装置のプレスキャン部のメインルーチンを説明するフローチャートである。
【図６】プレスキャン部の走査読取処理を説明するフローチャートである。
【図７】実施の形態のファインスキャン部における読取処理を説明するフローチャートである。
【図８】実施の形態のファインスキャン部における割り込み処理を説明するフローチャートである。
【図９】プリンタ部における露光処理を説明するフローチャートである。
【図１０】ＡＯＭドライバへ出力する露光量制御信号の波形を示す線図である。
【図１１】ＣＣＤセンサによりネガ画像を測光する場合のネガ画像濃度と測光値との関係の一例を示すグラフである。
【符号の説明】
１２    ネガフィルム（写真感光材料）
１６    フィルム画像読取装置（画像読取装置）
３６    プレスキャン部（第１の測光系）
３８    ファインスキャン部（第２の測光系）
４２    制御回路（制御手段）
５２    ランプ（第１の光源）
６２    ＣＣＤエリアセンサ（第１の画像センサ）
７０    画像バッファ（記憶手段）
８４    ランプ（第２の光源）
９４    ＣＣＤラインセンサ（第２の画像センサ）
【図１】
0003566592.tif 000004
【図２】
0003566592.tif 000005
【図３】
0003566592.tif 000006
【図４】
0003566592.tif 000007
【図５】
0003566592.tif 000008
【図６】
0003566592.tif 000009
【図７】
0003566592.tif 000010
【図８】
0003566592.tif 000011
【図９】
0003566592.tif 000012
【図１０】
0003566592.tif 000013
【図１１】
0003566592.tif 000014